(57)【要約】    【課題】かご室内の臭気が即時に消え去ったような心理的効果を得ることができ、快適なかご室内の空間を演出できるエレベータの換気装置を得ることにある。    【解決手段】エレベータの換気装置は、乗りかご、送風機および操作部を備えている。乗りかごは、乗客が出入りするかご室を有する。送風機は、乗りかごの天井の上に設置され、昇降路内の空気をかご室内に送風する。操作部は、かご室内の乗客がかご室内の臭気を感じた時に、当該乗客の人為的な操作で送風機を作動させる。操作部が操作された状態では、昇降路内の空気が送風機からかご室内に送風されるとともに、送風機が作動を開始したことがかご室内の乗客に音で報知される。    【選択図】図２
2017121984.tif 000002
【特許請求の範囲】
【請求項１】
昇降路に沿って昇降動されるとともに、不特定多数の乗客が出入りするかご室を有する乗りかごと、
前記乗りかごの天井の上に設置され、前記昇降路内の空気を前記天井の後端部から前記かご室の中央部に向けて送風する平常換気用の第１の送風機と、
前記乗りかごの天井の上に設置され、前記第１の送風機とは独立して作動することで前記昇降路内の空気を前記天井の後端部から前記かご室の中央部に向けて送風する強制換気用の第２の送風機と、
前記かご室に配置され、前記かご室内の乗客が前記かご室内の臭気を感じた時に、当該乗客の人為的な操作で前記第２の送風機を作動させる操作部と、を含み、
前記操作部が操作された状態では、前記第１の送風機および前記第２の送風機の双方から前記昇降路内の空気が前記かご室内に送風されとともに、前記第２の送風機が作動を開始したことが前記かご室内の乗客に音で報知されるエレベータの換気装置。
【請求項２】
前記第２の送風機が作動された状態では、前記第２の送風機が発する運転音又は風切り音が前記第１の送風機が発する運転音又は風切り音に付加される請求項１に記載のエレベータの換気装置。
【請求項３】
前記乗りかごの前記天井は、前記第１の送風機から送られる空気を前記かご室に供給する第１の供給口と、前記第２の送風機から送られる空気を前記かご室に供給する第２の供給口と、を有し、前記第１の供給口および前記第２の供給口に、夫々前記第１の送風機および前記第２の送風機から送られる空気を前記かご室の中央部に向けて斜め下向きに案内する複数の羽板が設けられた請求項１又は請求項２に記載のエレベータの換気装置。
【請求項４】
前記乗りかごは、前記かご室内の空気を前記昇降路に排出する排気口を有する請求項１ないし請求項３のいずれか一項に記載のエレベータの換気装置。
【請求項５】
前記操作部は、前記かご室内の乗客によって押される換気ボタンである請求項１に記載のエレベータの換気装置。
【請求項６】
前記換気ボタンは、前記第２の送風機が作動を開始した時に発光する表示部を備えた請求項５に記載のエレベータの換気装置。
【発明の詳細な説明】
【技術分野】
【０００１】
本発明の実施形態は、かご室内の清涼感を高めるエレベータの換気装置に関する。
【背景技術】
【０００２】
不特定多数の人が利用するエレベータでは、密閉空間となる乗りかご内の不快な臭いを消すため、送風機を用いて昇降路内の空気を乗りかご内に取り入れている。これにより、乗りかご内の換気性が確保され、乗りかご内をより快適で清涼な空間とすることができる。
【先行技術文献】
【特許文献】
【０００３】
【特許文献１】特開２００６−２１３４１２号公報
【発明の概要】
【発明が解決しようとする課題】
【０００４】
従来のエレベータによると、送風機は、通常、乗りかご内の乗客が風圧を感じることがないような風量で作動している。そのため、乗客によっては、送風機が作動しているにも拘らず、乗りかご内に嫌な臭いが漂っているといった心理が働くことがあり、エレベータを利用する人々の満足度を高める上で改善の余地がある。
【０００５】
本発明の目的は、かご室内の臭気が即時に消え去ったような心理的効果を得ることができ、快適なかご室内の空間を演出できるエレベータの換気装置を提供することにある。
【課題を解決するための手段】
【０００６】
実施形態によれば、エレベータの換気装置は、乗りかご、平常換気用の第１の送風機、強制換気用の第２の送風機および操作部を主要な要素として備えている。前記乗りかごは、昇降路に沿って昇降動されるとともに、不特定多数の乗客が出入りするかご室を有する。前記第１の送風機は、前記乗りかごの天井の上に設置され、前記昇降路内の空気を前記天井の後端部から前記かご室の中央部に向けて送風する。前記第２の送風機は、前記乗りかごの天井の上に設置され、前記第１の送風機とは独立して作動することで前記昇降路内の空気を前記天井の後端部から前記かご室の中央部に向けて送風する。前記操作部は、前記かご室に配置され、前記かご室内の乗客が前記かご室内の臭気を感じた時に、当該乗客の人為的な操作で前記第２の送風機を作動させる。前記操作部が操作された状態では、前記第１の送風機および前記第２の送風機の双方から前記昇降路内の空気が前記かご室内に送風されとともに、前記第２の送風機が作動を開始したことが前記かご室内の乗客に音で報知される。
【図面の簡単な説明】
【０００７】
【図１】実施形態に係るエレベータの構成を概略的に示す断面図である。
【図２】図１のエレベータの乗りかごの内部を示す斜視図である。
【図３】乗りかごの天井回りの断面図である。
【図４】換気ボタンの一例を示す正面図である。
【発明を実施するための形態】
【０００８】
以下、実施形態について、図面を参照して説明する。
【０００９】
図１は、トラクション方式のエレベータ１を概略的に示している。エレベータ１は、建屋に設けられた昇降路２を有し、当該昇降路２に乗りかご３および釣合錘４が図示しないガイドレールを介して昇降動可能に支持されている。さらに、駆動シーブ５を有する巻上機６および制御装置７が昇降路２の上端の機械室８に設置されている。
【００１０】
巻上機６は、駆動シーブ５に巻き掛けられたメインロープ９を介して乗りかご３および釣合錘４を昇降路２に吊り下げている。制御装置７は、メインロープ９を巻き上げたり、巻き戻す方向に巻上機６の運転を制御することで、乗りかご３および釣合錘４を昇降路２に沿って昇降動させる。
【００１１】
図１および図２に示すように、乗りかご３は、不特定多数の乗客Ｐが乗り込むかご室１１を有している。かご室１１は、床板１２、前板１３、側板１４、背板１５および天井板１６で囲まれた四角い箱形の要素であって、複数のかご扉１７で開閉される出入口１８を備えている。出入口１８は、前板１３の中央部に開口されている。
【００１２】
図１に示すように、建屋の各階床Ａごとに乗場２０が設置されている。各乗場２０は、昇降路２に開口された乗降口２１と、乗降口２１を開閉する複数の乗場扉２２と、を備えている。
【００１３】
乗りかご３が停止すべき階床Ａの乗場２０に着床すると、図示しない係合装置を介してかご扉１７と乗場扉２２とが互いに連携される。これにより、乗場扉２２がかご扉１７に追従して乗降口２１を開閉するようになっている。
【００１４】
図２に示すように、乗りかご３の天井板１６は、かご室１１に露出されたフラットな天井面２３を有している。照明装置２５が天井面２３の中央部に設置されている。照明装置２５は、例えば二列に並べられたＬＥＤユニット２６およびセード２７を主要な要素として備えている。
【００１５】
ＬＥＤユニット２６は、天井面２３に直付けされている。ＬＥＤユニット２６は、かご室１１の奥行き方向に一直線上に延びているとともに、かご室１１の幅方向に互いに間隔を存して並んでいる。さらに、ＬＥＤユニット２６は、天井面２３に向けて光を放射する。ＬＥＤユニット２６から放射された光は、天井面２３で下向きに反射されてかご室１１内を間接的に照明する。
【００１６】
セード２７は、かご室１１の奥行き方向に延びた長方形状の要素であって、遮光性を有している。セード２７は、一対のブラケット２８ａ，２８ｂを介して天井面２３から吊り下げられ、ＬＥＤユニット２６を下方から覆い隠している。
【００１７】
図２および図３に示すように、乗りかご３は、かご室１１を換気する第１の送風機３１および第２の送風機３２を搭載している。第１の送風機３１および第２の送風機３２は、夫々電動ファンであって、乗りかご３の天井板１６の上に設置されている。第１の送風機３１および第２の送風機３２は、かご室１１の後端部の真上に位置するとともに、かご室１１の幅方向に並べて配置されている。
【００１８】
第１の送風機３１は、例えばエレベータ１の運転中に常に作動する平常換気用の要素である。第１の送風機３１は、箱形のケーシング３３と、ケーシング３３内でモータのトルクを受けて回転する羽根車３４と、を有している。羽根車３４は、ケーシング３３内で回転することにより昇降路２内の空気を吸い込むとともに、吸い込んだ空気を加圧してケーシング３３の下面の吐出口３５に送出する。
【００１９】
ケーシング３３の吐出口３５は、乗りかご３の天井板１６に設けた第１の供給口３６に接続されている。第１の供給口３６は、例えばかご室１１の天井面２３の後端部に開口されているとともに、かご室１１の幅方向に延びたスリット状の開口形状を有している。
【００２０】
複数の羽板３７が第１の供給口３６に設けられている。羽板３７は、かご室１１の幅方向に延びた細長い形状を有するとともに、かご室１１の奥行き方向に互いに間隔を存して配列されている。さらに、羽板３７は、かご室１１の下方に進むに従いかご室１１の前方を向くように傾斜されている。
【００２１】
そのため、ケーシング３３内を吐出口３５に向けて送風される空気は、図３に矢印Ｂで示すように、羽板３７の間を通過する過程でかご室１１の天井面２３の後端部からかご室１１の中央部に向けて斜め下向きに案内される。
【００２２】
第２の送風機３２は、第１の送風機３１とは独立して作動する強制換気用の要素である。第２の送風機３２は、箱形のケーシング４０と、ケーシング４０内でモータのトルクを受けて回転する羽根車４１と、を有している。羽根車４１は、ケーシング４０内で回転することにより昇降路２内の空気を吸い込むとともに、吸い込んだ空気を加圧してケーシング４０の下面の吐出口４２に向けて送出する。
【００２３】
ケーシング４０の吐出口４２は、乗りかご３の天井板１６に設けた第２の供給口４３に接続されている。第２の供給口４３は、例えばかご室１１の天井面２３の後端部に開口されているとともに、かご室１１の幅方向に延びたスリット状の開口形状を有している。
【００２４】
複数の羽板４４が第２の供給口４３に設けられている。羽板４４は、かご室１１の幅方向に延びた細長い形状を有するとともに、かご室１１の奥行き方向に互いに間隔を存して配列されている。さらに、羽板４４は、かご室１１の下方に進むに従いかご室１１の前方を向くように傾斜されている。
【００２５】
そのため、ケーシング４０内を吐出口４２に向けて送風される空気は、羽板４４の間を通過する過程でかご室１１の天井面２３の後端部からかご室１１の中央部に向けて斜め下向きに案内される。
【００２６】
この結果、第１の送風機３１および第２の送風機３２が作動された状態では、図１に矢印Ｃで示すように、かご室１１の天井面２３の後端部からかご室１１の中央部に向かう換気用の空気流が形成される。よって、かご室１１に乗り込んだ乗客Ｐは、主に顔から上半身にかけての範囲が第１の供給口３６および第２の供給口４３からかご室１１に吹き出す空気の流れに直に晒されることになる。
【００２７】
さらに、本実施形態の乗りかご３は、排気口４５を備えている。排気口４５は、かご室１１内の空気を昇降路２に排出するための要素であって、例えば出入口１８の真上の位置で天井面２３に開口されている。このため、かご室１１の天井面２３の後端部からかご室１１の中央部に向けて斜め下向きに吹き出した空気の一部は、排気口４５を通じて昇降路２に排出される。
【００２８】
図２に示すように、縦型の操作盤４６がかご室１１に配置されている。操作盤４６は、乗りかご３の前板１３に支持され、かご室１１の中から見て出入口１８の右側に位置されている。
【００２９】
操作盤４６は、フェースプレート４７の上に配置された複数の行先階ボタン４８を有している。行先階ボタン４８は、乗りかご３の行先階を登録するための要素であって、かご室１１に乗り込んだ乗客Ｐによって操作されることで該当する行先階を目的階として登録する。
【００３０】
さらに、操作盤４６は、開いているかご扉１７を閉じる閉ボタン４９、閉じかけたかご扉１７を開く開ボタン５０および非常時に管理センタ等へ通報するための非常ボタン５１を備えている。閉ボタン４９、開ボタン５０および非常ボタン５１は、フェースプレート４７の上に配置されている。
【００３１】
本実施形態の操作盤４６は、前記各種のボタン４８，４９，５０，５１の他に換気ボタン５２を備えている。換気ボタン５２は、操作部の一例であって、かご室１１に乗り込んだ乗客Ｐにより人為的に操作された際に、第２の送風機３２を作動させる。操作ボタン５２は、フェースプレート４７の上に配置されている。
【００３２】
図４は、換気ボタン５２の一例を開示している。操作ボタン５２は、四角いボタン枠５３と、「換気」と表示された文字部５４と、換気ボタン５２が操作された時に発光する表示部５５と、を有している。
【００３３】
ボタン枠５３は、換気ボタン５２の存在が明確となるように、例えば清涼感をイメージさせる青色に着色されている。文字部５４および表示部５５は、ボタン枠５３で囲まれた領域に配置されている。文字部５４は、例えば触知のし易さと良好なさわり心地を両立させるため、文字を形作る凸状に形成されている。表示部５５は、文字部５４の真下に位置され、換気ボタン５２が乗客Ｐによって押された時に、例えば白色の光で点灯したり、点滅を繰り返すようになっている。
【００３４】
本実施形態によると、エレベータ１が平常に運転をしている時点では、第１の送風機３１が作動状態を維持している。エレベータ１が平常に運転をしているとは、乗りかご３が昇降動している時、および乗りかご３が特定の乗場２０に着床している時の双方を含む。このため、平常時は、昇降路２内の空気が第１の供給口３６を通じてかご室１１に送風され、かご室１１の換気性が確保されている。
【００３５】
一方、エレベータ１は、不特定多数の人が利用するので、例えば乗客Ｐの汗の臭い、香水の匂い、乗客Ｐの服に染み込んだたばこの臭い、あるいは乗客が持ち込んだ生ごみの悪臭等がかご室１１に籠ることがあり得る。従来から知られているイオンを用いた脱臭装置では、かご室１１内の臭気が気にならない程度まで低下するのに数十分の時間を要し、即時的な脱臭効果を得ることができない。
【００３６】
本実施形態のエレベータ１では、かご室１１に換気ボタン５２が備え付けられている。このため、乗客Ｐがかご室１１に乗り込んだ時にかご室１１内の臭いが気になった時は、乗客Ｐが自発的に換気ボタン５２を操作する。
【００３７】
これにより、常に作動している第１の送風機３１に加えて第２の送風機３２が作動を開始し、例えば換気ボタン５２が操作されてから所定の時間にわたり、第１の送風機３１および第２の送風機３２の双方から昇降路２内の空気がかご室１１に強制的に取り入れられる。特に本実施形態の乗りかご３は、排気口４５を有するので、かご室１１の通気性が良好に保たれ、かご室１１内に昇降路２内の空気を効率よく取り入れることができる。
【００３８】
この結果、かご室１１に供給される風量が倍増し、かご室１１内に充満したにおい成分をかご室１１内の空気と共に速やかに排気口４５から昇降路２に排出することができる。よって、かご室１１内の空気を短時間のうちに入れ替えて脱臭効果を高めることができる。
【００３９】
しかも、本実施形態では、乗客Ｐが換気ボタン５２を押すと、かご室１１に乗り込んだ乗客Ｐの顔から上半身にかけての範囲が第１の供給口３６および第２の供給口４３からかご室１１に吹き出す空気の流れに晒される。このため、乗客Ｐは、かご室１１内の空気の流れを肌で直に感じ取ることが可能となる。
【００４０】
それとともに、乗客Ｐが換気ボタン５２を押すと、第１の送風機３１の運転音および風切り音に第２の送風機３２の運転音および風切り音が加わるので、かご室１１内の乗客Ｐは、かご室１１内の換気が開始されたことを聴覚的に知ることができる。
【００４１】
したがって、かご室１１内の風の流れと、二つの送風機３１，３２の運転音および風切り音の高まりとによって、かご室１１内の乗客Ｐに対しかご室１１内の臭気が瞬時に消え去ったような心理的効果を与えることができ、快適なかご室１１内の空間を演出する上で有効となる。
【００４２】
加えて、乗客Ｐが換気ボタン５２を押すと、換気ボタン５２の上の表示部５５が点灯又は点滅を繰り返すので、乗客Ｐは、かご室１１の換気が開始されたことを視覚的な面からも認識することができる。
【００４３】
この結果、かご室１１内の乗客Ｐは、風の感触、聴覚および視覚によりかご室１１内の脱臭効果の高まりを感じ取ることができ、エレベータ１を利用する人々の満足度を高めることが可能となる。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４５】
例えば、乗客が換気ボタンを押した時に、第１の送風機および第２の送風機の運転音あるいは風切り音を増幅してかご室内に放出したり、換気が開始されたことを音声あるいは音楽でかご室内の乗客に報知するようにしてもよい。
【００４６】
それとともに、第２の送風機とかご扉とを連携させ、かご扉が乗場扉と共に開いた時に第２の送風機を作動させることで、かご室内の臭い成分を乗場に排出するようにしてもよい
さらに、換気ボタンと照明装置とを連携させ、乗客が換気ボタンを押した時にかご室内を照らす照明光を清涼感が高まるような色に変化させてもよい。
【００４７】
加えて、乗客が人為的に操作する操作部は、ボタンに特定されるものではなく、例えばボタンの代わりに近接センサを用いてもよく、操作部の構成に特に制約はない。
【符号の説明】
【００４８】
２…昇降路、３…乗りかご、１１…かご室、３１…第１の送風機、３２…第２の送風機、５２…操作部（換気ボタン）。
【図１】
2017121984.tif 000003
【図２】
2017121984.tif 000004
【図３】
2017121984.tif 000005
【図４】
2017121984.tif 000006
【手続補正書】
【提出日】平成28年6月2日(2016.6.2)
【手続補正１】
【補正対象書類名】特許請求の範囲
【補正対象項目名】全文
【補正方法】変更
【補正の内容】
【特許請求の範囲】
【請求項１】
昇降路に沿って昇降動されるとともに、不特定多数の乗客が出入りするかご室を有する乗りかごと、
前記乗りかごの天井の上に設置され、前記昇降路内の空気を前記かご室内に送風する送風機と、
前記かご室に配置され、前記かご室内の乗客が前記かご室内の臭気を感じた時に、当該乗客の人為的な操作で前記送風機を作動させる操作部と、を含み、
前記操作部が操作された状態では、前記昇降路内の空気が前記送風機から前記かご室内に送風されるとともに、前記送風機が作動を開始したことが前記かご室内の乗客に音で報知されるエレベータの換気装置。
【請求項２】
前記音は、前記送風機が発する運転音又は風切り音である請求項１に記載のエレベータの換気装置。
【請求項３】
前記乗りかごの前記天井は、前記送風機から送られる空気を前記かご室に供給する供給口を有し、前記供給口に前記送風機から送られる空気を前記かご室の中央部に向けて斜め下向きに案内する複数の羽板が設けられた請求項１又は請求項２に記載のエレベータの換気装置。
【請求項４】
前記乗りかごは、前記かご室内の空気を前記昇降路に排出する排気口を有する請求項１に記載のエレベータの換気装置。
【請求項５】
前記操作部は、前記かご室内の乗客によって押される換気ボタンである請求項１に記載のエレベータの換気装置。
【請求項６】
前記換気ボタンは、前記送風機が作動を開始した時に発光する表示部を備えた請求項５に記載のエレベータの換気装置。
【請求項７】
前記乗りかごの前記天井の上に設置され、前記昇降路内の空気を前記かご室内に送風するようにエレベータ運転中に常に作動する他の送風機をさらに備えた請求項１に記載のエレベータの換気装置。
【手続補正２】
【補正対象書類名】明細書
【補正対象項目名】０００６
【補正方法】変更
【補正の内容】
【０００６】
実施形態によれば、エレベータの換気装置は、乗りかご、送風機および操作部を主要な要素として備えている。前記乗りかごは、昇降路に沿って昇降動されるとともに、不特定多数の乗客が出入りするかご室を有する。前記送風機は、前記乗りかごの天井の上に設置され、前記昇降路内の空気を前記かご室内に送風する。前記操作部は、前記かご室に配置され、前記かご室内の乗客が前記かご室内の臭気を感じた時に、当該乗客の人為的な操作で前記送風機を作動させる。前記操作部が操作された状態では、前記昇降路内の空気が前記送風機から前記かご室内に送風されるとともに、前記送風機が作動を開始したことが前記かご室内の乗客に音で報知される。